(57)【要約】【課題】仕掛けに取り付けられる擬似餌又は餌に、群れて泳ぐ魚のような動きができるようにする。【解決手段】道糸１２側に固定される基端部材１３と、基端部材１３につなぎ合わされて基端部材１３に対して遊動可能な遊端部材１５を備える。遊端部材１５には、基端部材１３の保持部３１につなぎ合わされる連結部５１と、連結部５１から延設されて２本に枝分かれする延長部５２を形成し、これら延長部５２の先端を、擬似餌５３又は餌が取り付けられる部分とする。そして、遊端部材１５の連結方向を軸とした水平方向に対する遊端部材１５の回転範囲を規制する回転規制手段１８として、遊端部材１５の延長部５２同士の間に位置する介在部３８を、基端部材１３に形成する。【選択図】図１
2019126316.tif 000002
【特許請求の範囲】
【請求項１】
道糸側に固定される基端部材と、前記基端部材に対して遊動可能な遊端部材を備え、
前記遊端部材に、前記基端部材側につなぎ合わされる連結部と、前記連結部から延設されて擬似餌又は餌が取り付けられる複数の延長部が形成され、
前記基端部材と前記遊端部材の相互間に、前記遊端部材の連結方向を軸とした水平方向に対する前記遊端部材の回転範囲を規制する回転規制手段が備えられた
仕掛けの連結具。
【請求項２】
前記連結部が線材を円弧状に湾曲して形成された
請求項１に記載の仕掛けの連結具。
【請求項３】
前記回転規制手段が、前記遊端部材に形成されて水平方向に間隔をあける間隔形成部と、前記間隔形成部同士の間に位置する介在部を有する
請求項１または請求項２に記載の仕掛けの連結具。
【請求項４】
前記間隔形成部が、前記延長部で形成された
請求項３に記載の仕掛けの連結具。
【請求項５】
前記介在部が線材を曲げて形成された
請求項３または請求項４に記載の仕掛けの連結具。
【請求項６】
前記回転規制手段が、前記連結部と、前記連結部が連結する相手方との相互間に形成された
請求項１または請求項２に記載の仕掛けの連結具。
【請求項７】
前記基端部材に、水中において前記基端部材の向きを定める姿勢規制手段が備えられた
請求項１から請求項６のうちいずれか一項に記載の仕掛けの連結具。
【発明の詳細な説明】
【技術分野】
【０００１】
この発明は、魚釣りの仕掛けに使用される連結具に関し、より詳しくは道糸に対して擬似餌や餌を取り付けるための連結具に関する。
【背景技術】
【０００２】
魚釣りにおいては、疑似餌や餌に対してより自然な動きをさせることが重要である。
【０００３】
例えば下記特許文献１には、竿のシャクリにより擬似餌があたかも泳いでいるように挙動させるべく、水平な鋼線の長手方向の中間位置を挟んだ両側に反転可能な羽根板からなるプロペラを備えるとともに、鋼線の両端に擬似餌を連結する連結具が開示されている。この連結具では、水中で降下するときと上昇するときに連結具が回転し、擬似餌が泳いでいるように挙動するというものである。擬似餌は回転方向において同じ方向に向けて設けられているので、２個の擬似餌は、追いかけあうように動くことになる。
【０００４】
この動きは魚の群れの動きの一つの態様ではあるものの、並んで泳ぐ動きではない。並んで泳ぐ魚の群れを演出するには、道糸に対して回転可能に連結される連結具に、枝分かれした複数の枝部を備えて、これら枝部の先端に擬似餌又は餌を取り付けることが考えられる。
【０００５】
しかし、この場合には、複数の擬似餌又は餌が、枝部の間の中心部を軸にその周りをぐるぐると無制限に回転するので、並んで泳ぐ自然な魚の動きは得られない。
【先行技術文献】
【特許文献】
【０００６】
【特許文献１】特許第５１００８３４号公報
【発明の概要】
【発明が解決しようとする課題】
【０００７】
この発明は、群れて泳ぐ魚の自然な動きを演出できるようにすることを主な目的とする。
【課題を解決するための手段】
【０００８】
そのための手段は、道糸側に固定される基端部材と、前記基端部材に対して遊動可能な遊端部材を備え、前記遊端部材に、前記基端部材側につなぎ合わされる連結部と、前記連結部から延設されて擬似餌又は餌が取り付けられる複数の延長部が形成され、前記基端部材と前記遊端部材の相互間に、前記遊端部材の連結方向を軸とした水平方向に対する前記遊端部材の回転範囲を規制する回転規制手段が備えられた、仕掛けの連結具である。
【０００９】
この構成では、回転規制手段が、基端部材に対して遊動する遊端部材の遊動範囲を、遊端部材の連結方向を軸とした回転方向において制限して、連結部から延設された延長部に取り付けられる擬似餌又は餌の位置の転換を阻止する。このため、連結具が水中で横に引っ張られると、複数の擬似餌又は餌は前述の軸の周りを回動することはなく、互いの間に間隔をあけた状態で、存在位置の近傍を上下左右に連動するごとくに移動しながら引っ張られる。つまり、同じ方向に泳ぎながらもぶつからない、群れで泳ぐ態様が演出される。
【発明の効果】
【００１０】
この発明によれば、複数の擬似餌又は餌は、群れをなして泳ぐ魚のように、互いの間の距離を保ちながら大きな位置変更なしに連動するように泳ぐという、より自然に近い形態の泳ぎを演出できる。
【図面の簡単な説明】
【００１１】
【図１】仕掛けの連結具を吊り下げた状態の斜視図。
【図２】回転規制手段の斜視図。
【図３】作用状態の側面図。
【図４】作用状態の平面図。
【図５】他の例に係る仕掛けの連結具の斜視図。
【図６】他の例に係る回転規制手段の斜視図。
【発明を実施するための形態】
【００１２】
この発明を実施するための一形態を、以下図面を用いて説明する。
【００１３】
図１に仕掛けの連結具１１(以下、「連結具」という)の斜視図を示す。この図に示すように連結具１１は、道糸１２側に固定される基端部材１３と、基端部材１３に対して遊動可能な遊端部材１５を備えている。この例では、遊端部材１５は基端部材１３に対して直接つなぎ合わされている。図中、１７は、道糸１２に連結具１１を連結するためのサルカンである。
【００１４】
基端部材１３と遊端部材１５は共に、金属製の線材を曲げたり接合したりして形成される。そして、これら基端部材１３と遊端部材１５との相互間には、基端部材１３に対して遊動可能な遊端部材１５の動作を制限する手段、つまり図２に示したように、遊端部材１５の連結方向（図２における右斜め上と左斜め下をつなぐ方向）を軸とした水平方向に対する遊端部材１５の回転範囲を規制する回転規制手段１８が備えられている。
【００１５】
まず、基端部材１３について説明する。
【００１６】
基端部材１３は、遊端部材１５を連結するための保持部３１と、水中において基端部材１３の向きを定める姿勢規制手段３２を備えている。
【００１７】
基端部材１３は１本の線材からなり、線材の長手方向の中間部に円形に丸められて環状をなす前述の保持部３１が形成されている。保持部３１の内部の穴は、遊端部材１５を構成する線材の直径よりも大きく、遊端部材１５との間に隙間ができる大きさである。
【００１８】
線材における保持部３１の両側には、環状をなす保持部３１の下端位置となる交差する部位３１ａから同一平面上を直線状に延びる直線部３３，３４を有しており、これら直線部３３，３４の先の端部に、前述の姿勢規制手段３２を備えるための支持部３５，３６が形成される。支持部３５，３６は直線状であり、先端に姿勢規制手段３２を保持するための環状部３５ａ，３６ａが形成されている。
【００１９】
姿勢規制手段３２は、薄い板状のブレードである。ブレードは、水中で引っ張られることによって浮力を発生させて、基端部材１３の姿勢を支持部３５，３６の先端を上に向けた姿勢にする。
【００２０】
支持部３５，３６の向きは、保持部３１の立設方向よりも一方側に傾いている。また、２本の支持部３５，３６の長さは相違し、一方側の支持部３５の長さが、他方側の支持部３６の長さよりも短く設定されている。
【００２１】
前述の一方側(図１における下向きの方向、図２における右斜め上向きの方向)とは、道糸１２と反対側、つまり水中で引っ張られるときに後となる方向である。
【００２２】
他方側、つまり道糸１２に連結される側の支持部３６の基部には、一方側に向けて凸となる半円弧状に湾曲する緩衝部３６ｂが形成され、緩衝部３６ｂと前述の直線部３４との間には、他方側に向けて凸となる半円弧状に湾曲する留め部３７が形成されている。この留め部３７は、道糸１２に接続される部分であり、前述のサルカン１７が係止される。
【００２３】
一方側、つまり水中で後方に位置する支持部３５の基部にも、半円弧状に湾曲する緩衝部３５ｂが形成されている。この緩衝部３５ｂは、他方側に向けて凸となる湾曲形状である。また、この緩衝部３５ｂの形成位置は、前述の保持部３１の上方位置、より詳しく言えば、保持部３１の直上位置よりも若干他方側に寄った位置である。
【００２４】
一方側に位置する緩衝部３５ｂと直線部３３との間には、線材を曲げて形成された介在部３８が形成されている。介在部３８は、前述した回転規制手段１８の一部を構成する部分であり、緩衝部３５ｂ側に位置する直線状部３８ａと直線部３３側に位置する半円弧状部３８ｂからなる。具体的には、半円弧状部３８ｂは、保持部３１から一方側に離れた位置で、上下方向つまり保持部３１が起立する方向で一方側に向けて凸となる半円弧状に延びている。また緩衝部３５ｂは、保持部３１の上方に位置しているので、直線状部３８ａは保持部３１の下端から連接されている直線部３３から離れた位置で直線部３３に対して斜めに延びている。こうして介在部３８は、直線部３３と一体になって、保持部３１の下端位置となる交差する部位３１ａから一方側の部位を、保持部３１より上方の位置にかけて取り囲むように存在することになる。
【００２５】
一方側の直線部３３の長さ、換言すればや介在部２８の半円弧状部２８ｂの位置や、半円弧状部２８ｂの大きさは、遊端部材１５と所望する回転範囲に応じて適宜設定される。
【００２６】
遊端部材１５も１本の線材からなり、基端部材１３側、具体的には基端部材１３の保持部３１につなぎ合わされる連結部５１と、連結部５１から延設された複数の延長部５２が形成されている。延長部５２は擬似餌５３又は餌が取り付けられる部分である。
【００２７】
連結部５１は、線材の長手方向の中間位置に線材を円弧状に湾曲して、より具体的には円形に丸めて環状に形成されている。連結部５１の内部の穴は、基端部材１３を構成する線材の直径よりも大きく、遊端部材１５との間に隙間をできる大きさである。
【００２８】
連結部５１の両端から先は、一方側において直線状に引き揃えて接合し、その先を二股状に枝分かれさせて前述の延長部５２を連設する。これら延長部５２は前述の回転規制手段１８の一部を構成する部分であり、水平方向に間隔をあける間隔形成部である。同じく回転規制手段１８の一部を構成する前述した基端部材１３の介在部３８は、間隔形成部同士、つまり延長部５２同士の間に位置することになる。２本の延長部５２の角度や長さ、形状は適宜設定される。
【００２９】
そして、延長部５２の先端には擬似餌１９又は餌を取り付けるための取り付け部５２ａが形成されている。この例の取り付け部５２ａは、線材の先端を環状に丸めて形成した取り付け環であり、図１に示したように、擬似餌５３又は餌を刺した釣り針５４がサルカン５５によって遊動可能に連結される。釣り針５４には錘５６が一体に設けられている。錘５６にはサルカン１７を係止する係止部５６ａが形成されている。
【００３０】
以上のように構成された連結具１１は、道糸１２に取り付けられて投げ釣りの仕掛けとして使用される。
【００３１】
水中で引っ張られたときの側面視状態を図３に、平面視状態を図４に示す。
【００３２】
これらの図に示すように道糸１２に引っ張られると、連結具１１は姿勢規制手段３２を上方に浮かせる。つまり連結具１１は、基端部材１３を立てて、遊端部材１５を水平方向に広げた状態を基本姿勢とする状態で引っ張られ、連結具１１の遊端部材１５は基端部材１３に対して遊動するが、その遊動範囲は無制限ではなく、回転規制手段１８によって制限される。
【００３３】
つまり、図２にも示したように、遊端部材１５の環状の連結部５１は環状をなす保持部３１につなぎ合わされているので、両者間で３６０度回転することはないものの、それに近いくらいに上下左右に自由に回転し、一方の延長部５２が他方の延長部５２と入れ替わる程度に大きく遊動し得るところを、遊動する遊端部材１５の延長部５２やその基部が基端部材１３の介在部３８や介在部３８と保持部３１との間の直線部３３に当たって、自由な遊動が制限される。
【００３４】
特に、遊端部材１５の連結方向を軸とした水平方向に対する遊端部材１５の回転範囲が規制される。つまり側面視状態を表した図３に示したように、左右分かれた２本の延長部５２の先端がそれぞれ交互に上下動するような回転がなされ、擬似餌５３又は餌がそれに伴って移動するものの、これらが左右で入れ替わるような位置の転換は生じず、複数の擬似餌５３又は餌は、一定の範囲で上下左右に、相互間に一定の位置関係を保ちながら遊動する。
【００３５】
また、平面視状態を表した図４に示したように、遊端部材１５は左右２本の延長部５２を振り子のように揺らす動きもするが、延長部５２が介在部３８に当たることによって左右方向の移動範囲も規制され、左右に分かれた擬似餌５３又は餌が入れ替わるような位置の転換は生じず、複数の擬似餌５３又は餌は、一定の範囲で上下左右に、相互間に一定の位置関係を保ちながら遊動する。
【００３６】
擬似餌５３又は餌の前述のような遊動は、群れをなして並んで泳ぐ魚のような動きであり、より自然に近い形態の泳ぎを演出できることになる。このため、釣果を期待できる仕掛けを得ることができる。
【００３７】
しかも、基端部材１３と遊端部材１５がそれぞれ１本の線材を曲げて形成されており、保持部３１も介在部３８も連結部５１も、線材を曲げて形成されているので、簡素な構成で強靭な連結具１１を得ることができる。
【００３８】
そのうえ、回転規制手段１８は、遊端部材１５に形成されて水平方向に間隔をあける間隔形成部である延長部５２と、間隔形成部同士の間に位置する介在部３８を有するものであり、これらをそれぞれ１本の線材からなる基端部材１３と遊端部材１５で無駄なく効率的に形成しているので、簡素な構成とすることに貢献できる。特に基端部材にあっては、一筆書きで描くようにして保持部３１と介在部３８のほか、２本の支持部３５，３６までをも一体に形成できる。
【００３９】
また、間隔形成部が擬似餌５３又は餌を取り付けるために複数備えられる延長部５２で形成されているので、換言すれば複数備える延長部５２を有効利用するので、この点からもより一層簡素な構成にすることができる。
【００４０】
さらに、保持部３１と連結部５１が線材を曲げて形成され互いに直接つなぎ合わされるとともに、回転規制手段１８を有して遊端部材１５の連結方向を軸とした回転が規制される構成であるので、基端部材１３に対して遊動可能な遊端部材１５が使用中に基端部材１３に対して絡んでしまうこともなく、取扱いがしやすい。
【００４１】
加えて、基端部材１３には水中における向きを定める姿勢規制手段３２が備えられているので、前述のような自然な魚の群れの動きを確実に実現できる。
【００４２】
以下、連結具１１のその他の例について説明する。この説明において、前述の構成と同一の構成については同一の符号を付してその詳しい説明を省略する。
【００４３】
図５は、他の例に係る連結具１１を示す斜視図である。この連結具１１の基端部材１３は、釣り針５４を備えた錘５６が道糸１２に取り付けられる構造であり、遊端部材１５には、擬似餌５３又は餌のみが取り付けられる。
【００４４】
基端部材１３の錘５６は、その形状自体が水中において基端部材１３の向きを定める姿勢規制手段であり、下面が広いく上部が細い形状である。そして道糸１２の先端に固定したサルカン１７を係止する係止部５６ａは、錘５６の上面であって長手方向前方、つまり水中で引っ張られるときに前となる方向の端部に形成されている。錘５６における水中で引っ張られるときに後となる方向の端面には、遊端部材１５の連結部５１をつなぎ合わせる保持部３１と、遊端部材１５の延長部５２同士の間に位置する介在部３８が形成されている。
【００４５】
保持部３１は金属製の線材をＵ字状に湾曲して形成され、両端が錘５６の上下方向に並んで錘５６に接合されており閉じた状態である。介在部３８も保持部３１と同様に金属製の線材をＵ字状に湾曲して形成されて、両端が錘５６の上下方向に並んで錘５６に接合されており閉じた状態である。介在部３８は保持部３１よりも大きく長く形成され、保持部３１との間に間隔をあけて取り囲むように備えられている。介在部３８は前述例とは異なり、保持部３１と一体ではないので、介在部３８は、半円弧状をなす半円弧状部３８ｂの両側に直線状部３８ａを有することになる。
【００４６】
前述の釣り針５４は針先を上に向けた状態で、介在部３８より下に備えられている。
【００４７】
そして、遊端部材１５の延長部５２は、前述と同様に二股状に分かれた態様であり、延長部５２の長さは、先端が釣り針５４の懐部に並ぶ位置となる長さに設定されている。延長部５２の先端部には、擬似餌５３を刺して取り付け可能にする螺旋状に形成された取り付け部５２ａが形成されている。
【００４８】
このように構成された連結具１１においても、前述と同様に自然な動きに近い遊動を演出できる。
【００４９】
図６は、他の例に係る回転規制手段１８の斜視図であり、この回転規制手段１８は、連結部５１と、連結部５１が連結する相手方、つまり保持部３１との相互間に形成されている。回転規制手段１８は一対の板材１８ａで構成され、図６の（ａ）に示したように、線材をＵ字状に湾曲してなり両端が上下に配置された保持部３１の上下に、環状の連結部５１が遊端部材１５の連結方向を軸に回転したときに連結部５１に当たって回転を規制する一対の板材１８ａを備えている。一対の板材１８ａは連結部５１の広がる水平方向と平行である。
【００５０】
板材１８ａを、保持部３１ではなく連結部５１に備えた例が、図６の（ｂ）であり、板材１８ａは連結部５１の左右方向の両端に保持部３１と平行に立てて備えられている。
【００５１】
このように構成された回転規制手段１８を有する連結具１１においても、前述と同様に自然な動きに近い遊動を演出できる。特に、回転規制手段１８を連結部５１、又は連結部５１が連結する相手方に直接備えているので、回転規制手段１８の小型化をはかれる。
【００５２】
以上の構成はこの発明を実施するための一形態の構成であり、この発明は前述の構成のみに限定されるものではなく、その他の構成を採用することもできる。
【００５３】
たとえば、基端部材１３に形成される保持部３１は基端部材１３を構成する線材で一体に形成するのではなく、別部材を結合して構成してもよい。
【００５４】
遊端部材１５に形成される延長部５２は２本のほか、３本以上にしてもよく、それらの配置は平面的ではなく立体的であってもよい。
【００５５】
また、基端部材１３と遊端部材１５は直接つなぎ合わされるのではなく、他の部材を介して接続されてもよい。
【００５６】
回転規制手段１８は、例えば線材を曲げて形成された水平方向に広がる環状の間隔形成部と、環状の間隔形成部の内部を上下方向に貫通する線材からなる介在部で構成するなど、延長部を利用せずに回転規制手段を構成することもできる。
【符号の説明】
【００５７】
１１…連結具
１２…道糸
１３…基端部材
１５…遊端部材
１８…回転規制手段
３１…保持部
３２…姿勢規制手段
３８…介在部
５１…連結部
５２…延長部
５３…擬似餌
【図１】
2019126316.tif 000003
【図２】
2019126316.tif 000004
【図３】
2019126316.tif 000005
【図４】
2019126316.tif 000006
【図５】
2019126316.tif 000007
【図６】
2019126316.tif 000008